(57)【要約】      （修正有）【課題】パイプ椅子と同様に折り畳み式でありながら、椅子を使った運動に適したものとするとともに、トレーニングのためだけではなく、立ったり座ったりが困難な高齢者にも便利な普通の椅子としても使用することができる運動用折り畳み式椅子を提供する。【解決手段】着座板４ａを取り付けた前脚パイプ２ａの上部に背もたれ４を地面に対して垂直に設けるとともに前記背もたれの４の取り付け位置を高くし、前記前脚パイプ２ａの前左右脚パイプ２ｂ、２ｃ間の前脚支持パイプ５及び後ろ左右脚パイプ３、３ａ間の後ろ脚支持パイプ５ａの取り付け位置を上方に取り付けた。また、後ろ左右脚パイプ３、３ａに、折り畳み可能なステップ台６を取り付け、ステップ台の前方にチューブリングを設けた。【選択図】図１
0003137692.tif 000002
【実用新案登録請求の範囲】
【請求項１】
着座板を取り付けた前脚パイプの上部に背もたれを地面に対して垂直に設けるとともに前記背もたれの取り付け位置を高くし、前記前脚パイプの前左右脚パイプ間の前脚支持パイプ及び後ろ左右脚パイプ間の後ろ脚支持パイプの取り付け位置を上方に取り付けたことを特徴とする運動用折り畳み式椅子。
【請求項２】
後ろ左右脚パイプに、折り畳み可能なステップ台を取り付けたことを特徴とする請求項１に記載の運動用折り畳み式椅子。
【請求項３】
ステップ台の前方にチューブリングを設けたことを特徴とする請求項２に記載の運動用折り畳み式椅子。
【考案の詳細な説明】
【技術分野】
【０００１】
本考案は、椅子を使用し運動をする際に適した折り畳み式の椅子に関する発明である。
【背景技術】
【０００２】
近年、自宅でできる運動の一つとして椅子を使った運動が多く紹介されている。特に高齢者や変形性膝関節症などの整形外科的疾患を持った人などは膝等への負担を考慮すると、椅子を使った運動が推奨されている。しかしながら、各家庭においてこのような椅子を使った運動に適した図１２に示したような折り畳み式のパイプ椅子１３は自宅にないことが多い。
【０００３】
また、上記のように折り畳み式のパイプ椅子１３を用いて運動をする場合、椅子１３の背もたれ１６部分につかまって運動をすることが多いが、従来のパイプ椅子１３では背もたれ１６の高さが低くつかまりにくくなることがあったり、筋力トレーニングの一環としてチューブを利用した運動をすることも多いが、従来のパイプ椅子１３にチューブを取り付けて使用すると、チューブがずれてしまったり、床に接したパイプ１３ｅ、１４ｃにチューブを取り付けるには椅子を少し持ち上げなくてはならないため、チューブの取り付けが困難になる。
【０００４】
さらに、スクワットや厚生労働省の示した介護予防のアセスメントの体力テストに含められている椅子の立ち座りの動作回数テスト等を行う際に、従来のパイプ椅子１３だと地面に接する横パイプ１３ｅが立ち位置の邪魔になったり、横パイプ１３ｅを避けるために立ち位置が前方になることで座る際に不安を感じる等の問題も起きている。
【０００５】
こうした従来のパイプ椅子を用いた運動の他、高齢者やリハビリ訓練者が家庭や施設で無理なく簡単に筋力トレーニングを行うものとしては特許文献１に記載の筋力トレーニング椅子が提案されているが、前記筋力トレーニング椅子は一般家庭に置いておくには場所を取り、また、使用目的がトレーニングにのみ限定されているので、トレーニングをしないときには邪魔になるという問題点がある。
【特許文献１】特開２００５−３３４６０２
【考案の開示】
【考案が解決しようとする課題】
【０００６】
そこで、本考案は、従来のパイプ椅子と同様に折り畳み式でありながら、椅子を使った運動に適したものとすると共に、トレーニングのためだけではなく、立ったり座ったりが困難な高齢者にも便利な普通の椅子としても使用することができる運動用折り畳み式椅子を提供することを目的としたものである。
【課題を解決するための手段】
【０００７】
本考案は、上記の課題を解決するために、運動用折り畳み式椅子１を椅子２とステップ台６で構成し、椅子２の前脚パイプ２ａを従来のパイプ椅子よりも長くすることで背もたれ４の位置を高くすると共に、横パイプとなる前脚支持パイプ５の位置を上方に取り付けることで強度を弱めることなく、運動に適した椅子となることを特徴とする運動用折り畳み式椅子１とした。
【０００８】
また、折り畳みが可能なステップ台６を椅子２に取り付けることで、ステップ運動もできるようにし、更に前記ステップ台６の前方にチューブリング７を設けて、チューブを使った運動も容易にできるようにしたことを特徴とする運動用折り畳み式椅子１とした。
【考案の効果】
【０００９】
本考案は、背もたれの位置を高くしたことで運動をする際につかまりやすい高さとなり、前脚支持パイプ及び後ろ脚支持パイプの横パイプを上方に取り付けたことで強度を確保しながらも、立ち座り運動やスクワットをする際にも邪魔にならず、安心して運動ができる。
【００１０】
また、折り畳みが可能なステップ台を椅子の背面に取り付けることで、本考案である折り畳み式椅子一台でステップ運動も可能となり、前記ステップ台にチューブリングを設けたことで、筋力トレーニングのためのチューブの取り付けが簡単にでき、チューブを使った運動も容易にできる。
【００１１】
さらに、折り畳み式なので使用しないときには折り畳んでコンパクトに収納することができ、従来のパイプ椅子と着座板の高さや大きさは変わらないので、高齢者の普段の生活にも便利な普通の椅子としての使用にも問題なく使うことができる。
【考案を実施するための最良の形態】
【００１２】
本考案である運動用折り畳み式椅子は、椅子とステップ台から構成されることで、通常の椅子としての使用が可能な他、椅子を使ったトレーニングやステップ運動、ステップ台に設けたチューブリングにチューブを取り付け使用することでチューブを使った筋力トレーニング等、様々なトレーニングに使用することが可能な運動用折り畳み式椅子である。
【実施例１】
【００１３】
図１は本考案である運動用折り畳み式椅子の斜視図である。図１に示すように、本考案である運動用折り畳み式椅子１は、主に椅子２とステップ台６から構成されている。以下に図２から図６までの図面を用いながら、運動用折り畳み式椅子１の詳細について説明する。
【００１４】
図２は本考案である運動用折り畳み式椅子の正面図、図３は本考案である運動用折り畳み式椅子の右側面図、図４は本考案である運動用折り畳み式椅子の背面図、図５は本考案である運動用折り畳み式椅子の平面図、図６は本考案である運動用折り畳み式椅子を後方の上方向から見た斜視図である。
【００１５】
図面に示すように、本考案である運動用折り畳み式椅子１は、主に椅子２とステップ台６から構成されている。本考案である運動用折り畳み式椅子１を構成する椅子２は、従来の折り畳み式椅子１３と同様に椅子２全体の支持枠となる前脚パイプ２ａと後ろ脚パイプ３、３ａ、背もたれ４、着座板４ａから構成されている。
【００１６】
椅子２を構成する前脚パイプ２ａは、略コ字状の枠体で、前右脚パイプ２ｂ、上パイプ２ｄ、前左脚パイプ２ｃからなり、前記前脚パイプ２ａの上方部分、即ち前右脚パイプ２ｂ、上パイプ２ｄ、前左脚パイプ２ｃに三方を囲まれた部分には背もたれ４が嵌め込まれるようにして取り付けられている。
【００１７】
この時、図３に示した右側面図から分かるように、前脚パイプ２ａを構成する前右脚パイプ２ｂ及び前左脚パイプ２ｃは下方から上方に向かって斜めに伸びているが、上方のちょうど背もたれ４を取り付けた部分から上は、地面に対して垂直に伸びている。これは、本考案である運動用折り畳み式椅子１を使用して運動する際に、運動しやすい高さとなるとともに、背もたれ４上部の上パイプ２ｄにつかまりながら運動をする際にも手で持ちやすくするためである。
【００１８】
前脚パイプ２ａの下方には横パイプとなる前脚支持パイプ５が前右脚パイプ２ｂと前左脚パイプ２ｃを連結するようにして取り付けられている。前記前脚支持パイプ５は、従来のパイプ椅子１３の横パイプ１３ｅに比べるとかなり上方に取り付けられている。前脚支持パイプ５の取り付け位置は、着座板４ａから地面までの間のちょうど中間くらいの位置に取り付けられている。
【００１９】
このように、本考案である運動用折り畳み式椅子１では、前脚支持パイプ５を従来のパイプ椅子１３よりも上方に取り付けることで、スクワットや立ち座りの運動をする際にも横パイプが邪魔になることなく運動することが可能となり、また椅子２の強度も確保できる。
【００２０】
本考案である運動用折り畳み式椅子１を構成する椅子２の着座板４ａは、略正方形状で前脚パイプ２ａ等と同様の金属製の枠体にクッション材が取り付けられたものである。前記着座板４ａは、回動可能に前脚パイプ２ａに取り付けられている。即ち、着座板４ａの右側面は前右脚パイプ２ｂに回動可能な取り付け金具を用いて連結され、着座板４ａの左側面は前左脚パイプ２ｃに回答可能な取り付け金具を用いて連結されている。
【００２１】
本考案である運動用折り畳み式椅子１を構成する後ろ脚パイプには、後ろ右脚パイプ３と後ろ左脚パイプ３ａがある。後ろ右脚パイプ３は前右脚パイプ２ｂと接し、後ろ左脚パイプ３ａは、前右脚パイプ２ｃに接している。
【００２２】
後ろ右脚パイプ３及び後ろ左脚パイプ３ａの間にも前脚パイプ２ａと同様に、後ろ脚支持パイプ５ａが取り付けられている。後ろ脚支持パイプ５ａも前脚支持パイプ５と同様、従来の折り畳み式椅子１３の横パイプ１４ｃよりも上方に取り付けられており、その取り付け位置は、着座板４ａと地面とのちょうど中間くらいの位置であり、正面及び背面から見ると前脚支持パイプ５と後ろ脚支持パイプ５ａは重なって見える。
【００２３】
前記後ろ右脚パイプ３及び後ろ左脚パイプ３ａの下方の後ろ脚支持パイプ５ａから下部には、本考案である運動用折り畳み式椅子１を構成するステップ台６が取り付けられている。以下に、ステップ台６について説明する。
【００２４】
後ろ右脚パイプ５の下方にはステップ台取り付け脚８が取り付けられ、後ろ左脚パイプ５ａの下方にはステップ台取り付け脚８ａが取り付けられている。前記ステップ台取り付け脚８、８ａにはステップ台６が連結され、取り付けられている。
【００２５】
図３の右側面図及び図６の斜視図から分かるように、前記ステップ台取り付け脚８ａは、側面に溝が設けられており、前記溝に後ろ左脚パイプ３ａを嵌め込むようにして取り付け、２箇所に保持金具９を取り付け固定している。また、ステップ台取り付け脚８も後ろ右脚パイプ３に同様に取り付け固定している。
【００２６】
ステップ台６は、前方踏み板６ａ、後方踏み板６ｂ、脚６ｃ、６ｄ及び支え板６ｅで構成されており、前記前方踏み板６ａと後方踏み板６ｂは蝶番１０を介して連結されている。そして前記前方踏み板６ａの前方がステップ台取り付け脚８、８ａに回動可能に取り付けられている。また前記前方踏み板６ａの前面中央部には、前方に突出したチューブリング７が取り付けられている。
【００２７】
前方踏み板６ａと蝶番１０を介して連結された後方踏み板６ｂの下部には強度を増してステップ運動をする際の補強となる支え板６ｅが取り付けられており、支え板６ｅの左右には足６ｃ、６ｄを取り付け、ステップ台６を構成している。以下に図７から図９を用いて、ステップ台６の折り畳み方を説明する。
【００２８】
図７から図９はステップ台を折り畳む過程における、ステップ台部分の斜視図である。ステップ台６を折り畳む場合には、図７に示すように、先ず前方踏み板６ａと後方踏み板６ｂが連結された部分を上方に持ち上げるようにする。すると、前方踏み板６ａと後方踏み板６ｂは蝶番１０で連結されているので、後方踏み板６ｂは脚６ｃ、６ｄの取り付けられた後方側が下になるように内側に向かって回動する。
【００２９】
次に、図８に示すように、前方踏み板６ａが地面に対して垂直になるように後方踏み板６ｂとの連結部分を上方に立てていく。この時、完全に立てた状態の前方踏み板６ａは、椅子２を構成する左右の後ろ脚パイプ３、３ａに取り付けられた後ろ脚支持パイプ５ａの下に嵌るようにして収納される。
【００３０】
そして、図９に示すように、後方踏み板６ｂを脚６ｃ、６ｄが取り付けられた側を下にして下方向に下げていく。後方踏み板６ｂの背面は、垂直に立てられた状態の前方踏み板６ａの背面と密接し、後方踏み板６ｂに取り付けられた脚６ｃ、６ｄは、ちょうど前方踏み板６ａの下に収まるので、ステップ台６を折り畳んだ状態の本考案である運動用折り畳み式椅子１の背面は、後方に突出しているものはなく平らな状態となる。このようにして、ステップ台６はコンパクトに折り畳むことができる。
【００３１】
図１０は、本考案である運動用折り畳み式椅子を折り畳んだ状態の正面図である。本考案である運動用折り畳み式椅子１を折り畳むには、運動用折り畳み式椅子１を構成する椅子２及びステップ台６を折り畳むことで、完全に折り畳んだ状態となる。前記ステップ台６の折り畳み方は前述した通りであり、椅子２の折り畳み方は従来の折り畳み式パイプ椅子と同様である。
【００３２】
すなわち、着座板４ａを背面の枠体が正面に向くように上方向に持ち上げ、後ろ右脚パイプ３及び後ろ左脚パイプ３ａを前脚パイプ２ａと密接するように着座板４ａに連結させた左右後ろ脚パイプ３、３ａの上部を基点として、下部を内側に回動させることで、椅子２を折り畳むことができる。
【００３３】
この時、折り畳んだステップ台６は、椅子２の後ろ脚支持パイプ５ａ及び前脚支持パイプ５の下方に収納されているので、椅子２を折り畳む際にも邪魔になることなく、本考案出る運動用折り畳み式椅子１はコンパクトに折り畳むことができる。
【００３４】
図１１は本考案である運動用折り畳み式椅子の使用状態を示す図である。本考案である運動用折り畳み式椅子１を使用して運動する方法としては、椅子２のみを開いてステップ台６は折り畳んだままにして、椅子２の背もたれ４部分につかまって運動する方法がある。特に高齢者などは安全のために背もたれ等につかまっての運動が推奨されており、本考案である運動用折り畳み式椅子１は従来のパイプ椅子１３よりも背もたれ４の高さが高くなっているので、背もたれ４につかまって運動するのに適している。
【００３５】
また、椅子２と共にステップ台６を開いて、ステップ台６を使用して踏み台昇降のようなステップ運動をすることができる他、椅子２を用いて立ち座りの運動をすることもでき、前述したように横パイプとなる前脚支持パイプ５の位置を従来のパイプ椅子１３の横パイプ１３ｅ、１４ｃよりも高くしたことで、立ち座りの運動をする際に横パイプが邪魔になったり、危険を感じることなく運動することができる。
【００３６】
さらに、図１１に示すように、チューブ１１を使用した筋力トレーニングをすることも可能である。チューブ１１を使用した筋力トレーニングをする際には、ステップ台６を構成する前方踏み板６ａの前面中央部に前方に突出するようにして取り付けられたチューブリング７にチューブ１１の先端１１ａを縛り付け、環を設けたもう一方のチューブ先端１１ｂを運動する人の足１２の足首に装着する。そして、足１２を前後に動かすことで、足１２の筋力トレーニングができる。
【図面の簡単な説明】
【００３７】
【図１】本考案である運動用折り畳み式椅子の斜視図である。
【図２】本考案である運動用折り畳み式椅子の正面図である。
【図３】本考案である運動用折り畳み式椅子の右側面図である。
【図４】本考案である運動用折り畳み式椅子の背面図である。
【図５】本考案である運動用折り畳み式椅子の平面図である。
【図６】本考案である運動用折り畳み式椅子を後方上方向から見た斜視図である。
【図７】本考案である運動用折り畳み式椅子を折り畳む過程でのステップ台の斜視図である。
【図８】本考案である運動用折り畳み式椅子を折り畳む過程でのステップ台の斜視図である。
【図９】本考案である運動用折り畳み式椅子を折り畳んだ状態のステップ台の斜視図である。
【図１０】本考案である運動用折り畳み式椅子を折り畳んだ状態の正面図である。
【図１１】本考案である運動用折り畳み式椅子の使用状態を示す図である。
【図１２】従来の折り畳み式パイプ椅子の斜視図である。
【符号の説明】
【００３８】
１            運動用折り畳み式椅子
２            椅子
２ａ          前脚パイプ
２ｂ          前右脚パイプ
２ｃ          前左脚パイプ
２ｄ          上パイプ
３            後ろ右脚パイプ
３ａ          後ろ左脚パイプ
４            背もたれ
４ａ          着座板
４ｂ          背もたれ支持板
５            前脚支持パイプ
５ａ          後ろ脚支持パイプ
６            ステップ台
６ａ          前方踏み板
６ｂ          後方踏み板
６ｃ、６ｄ    脚
６ｅ          支え板
７            チューブリング
８、８ａ      ステップ台取り付け脚
９            保持金具
１０          蝶番
１１          運動用チューブ
１１ａ        チューブ先端
１１ｂ        チューブ先端
１２          足
１３          パイプ椅子
１３ａ        前脚パイプ
１３ｂ        前右脚パイプ
１３ｃ        前左脚パイプ
１３ｄ        上パイプ
１３ｅ        横パイプ
１４          後ろ脚パイプ
１４ａ        後ろ右脚パイプ
１４ｂ        後ろ左脚パイプ
１４ｃ        横パイプ
１５          着座板
１６          背もたれ
【図１】
0003137692.tif 000003
【図２】
0003137692.tif 000004
【図３】
0003137692.tif 000005
【図４】
0003137692.tif 000006
【図５】
0003137692.tif 000007
【図６】
0003137692.tif 000008
【図７】
0003137692.tif 000009
【図８】
0003137692.tif 000010
【図９】
0003137692.tif 000011
【図１０】
0003137692.tif 000012
【図１１】
0003137692.tif 000013
【図１２】
0003137692.tif 000014